(57)【要約】フィルムコンデンサ（１）は、コンデンサ素子ユニット（１０）とケース（２０）と充填樹脂（３０）とを備える。コンデンサ素子ユニット（１０）は、第２コンデンサ素子（１２０）と第３バスバー（４００）とを含む。第３バスバー（４００）には、ケース（２０）の開口部（８００ａ）から外に引き出され、外部接続部と接続するための取付穴（４４１）を有する第３接続端子部（４４０）が設けられ、ケース（２０）の外面側には、第３接続端子部（４４０）が設置される第３端子設置部（８６０）が設けられる。第３端子設置部（８６０）には、取付穴（４４１）に重なる挿通穴（８６１）が形成され、第３端子設置部（８６０）と第３接続端子部（４４０）との間に、取付穴（４４１）と挿通穴（８６１）とが重なる方向と垂直な面内で第３接続端子部（４４０）が動くのを阻止するための第３突起部（８６３）と嵌合穴（４４２）とが設けられる。
2018016349.tif 000002
【特許請求の範囲】
【請求項１】
コンデンサ素子ユニットと、
コンデンサ素子ユニットが収容されるケースと、
前記ケース内に充填され、前記ケース内で硬化する充填樹脂と、を備え、
前記コンデンサ素子ユニットは、コンデンサ素子と、当該コンデンサ素子の電極に接続されるバスバーとを含み、
前記バスバーには、前記ケースの開口部から外に引き出され、外部接続部と接続するための取付穴を有する接続端子部が設けられ、
前記ケースの外面側には、前記接続端子部が設置される端子設置部が設けられ、
前記端子設置部には、前記取付穴に重なり、前記接続端子部と前記外部接続部とを固定部材で接続する際に前記取付穴とともに前記固定部材が通される挿入穴が形成され、
前記端子設置部と前記接続端子部との間に、前記取付穴と前記挿入穴とが重なる方向と垂直な面内で前記接続端子部が動くのを阻止する第１の阻止部が設けられる、
ことを特徴とするコンデンサ。
【請求項２】
請求項１に記載のコンデンサにおいて、
前記第１の阻止部は、前記端子設置部に設けられ、前記取付穴と前記挿入穴とが重なる方向に突出する第１の嵌合部と、前記接続端子部に設けられ、前記第１の嵌合部が嵌合する第１の被嵌合部とを含む、
ことを特徴とするコンデンサ。
【請求項３】
請求項２に記載のコンデンサにおいて、
前記端子設置部は、前記挿入穴が前記ケースの開口部が向く方向と垂直な方向に開口するように前記ケースの外面側に設けられる、
ことを特徴とするコンデンサ。
【請求項４】
請求項３に記載のコンデンサにおいて、
前記第１の嵌合部は、前記開口部側の側壁面が、前記開口部側に向かって下り傾斜する傾斜面に形成される、
ことを特徴とするコンデンサ。
【請求項５】
請求項３または４に記載のコンデンサにおいて、
前記端子設置部と前記バスバーとの間に、前記取付穴と前記挿入穴とが重なる方向に前記接続端子部が動くのを阻止する第２の阻止部が設けられる、
ことを特徴とするコンデンサ。
【請求項６】
請求項５に記載のコンデンサにおいて、
前記第２の阻止部は、前記端子設置部に設けられ、前記開口部が向く方向に突出する第２の嵌合部と、前記バスバーに設けられ、前記第２の嵌合部が嵌合する第２の被嵌合部とを含む、
ことを特徴とするコンデンサ。
【請求項７】
請求項１ないし６の何れか一項に記載のコンデンサにおいて、
前記挿入穴は、前記端子設置部を貫通し、
前記接続端子部は、前記端子設置部における前記固定部材が前記挿入穴に挿入される側の面と反対側の面に設置される、
ことを特徴とするコンデンサ。
【発明の詳細な説明】
【技術分野】
【０００１】
本発明は、コンデンサに関する。
【背景技術】
【０００２】
両端面に電極引出部（端面電極）が形成され、それぞれの電極引出部に端子（バスバー）が接合されたコンデンサ素子を、樹脂ケース（ケース）内に収納し、当該樹脂ケース内に絶縁性樹脂（充填樹脂）を充填したコンデンサにおいて、樹脂ケースの開口部端面に位置決め部を設け、位置決め部と嵌合する嵌合部を端子に設けた樹脂封口型コンデンサが特許文献１に記載されている。端子の嵌合部を樹脂ケースの位置決め部に嵌合させることにより、コンデンサ素子の樹脂ケースへの位置決めを行うことができる。【０００３】
特許文献１のコンデンサでは、端子の先端部が樹脂ケースの開口部から僅かに横に延び出し、その先端部（接続端子部）に外部接続用穴（取付穴）が設けられる。端子は、コンデンサが設置される機器等に用意された外部端子等の外部接続部に、外部接続用穴を用いて接続される。
【先行技術文献】
【特許文献】
【０００４】
【特許文献１】特開２００１−２１０５４６号公報
【発明の概要】
【発明が解決しようとする課題】
【０００５】
上記のような構成のコンデンサでは、コンデンサが設置される機器等の構造により決まる外部接続部との接続位置に応じて、バスバーの先端部に設けられた接続端子部がケースの開口部から離れた位置に引き出され得る。このような場合、引き出された接続端子部が設置される端子設置部が、開口部から離れたケースの外面、たとえば側面に設けられる。端子設置部には、接続端子部と外部接続部とを取付ボルト等の固定部材で接続する際に接続端子部の取付穴とともに固定部材が通される挿入穴が形成される。【０００６】
このような構成では、接続端子部と外部接続部とを接続する際に、取付穴と挿入穴とに位置ずれが生じていると、これらの間を固定部材が通りにくくなり、接続端子部と外部接続部との接続が円滑に行えない虞がある。この場合、特許文献１のコンデンサと同様に、バスバーがケースの開口部端面において位置決めされたとしても、開口部から離れた位置での接続端子部の取付穴と端子設置部の挿入穴との位置ずれを、開口端面部での位置決めによって十分に防止することは難しい。【０００７】
かかる課題に鑑み、本発明は、バスバーの接続端子部を外部接続部へ円滑に接続することができるコンデンサを提供することを目的とする。
【課題を解決するための手段】
【０００８】
本発明の第１の態様に係るコンデンサは、コンデンサ素子ユニットと、コンデンサ素子ユニットが収容されるケースと、前記ケース内に充填され、前記ケース内で硬化する充填樹脂と、を備える。ここで、前記コンデンサ素子ユニットは、コンデンサ素子と、当該コンデンサ素子の電極に接続されるバスバーとを含む。前記バスバーには、前記ケースの開口部から外に引き出され、外部接続部と接続するための取付穴を有する接続端子部が設けられ、前記ケースの外面側には、前記接続端子部が設置される端子設置部が設けられる。前記端子設置部には、前記取付穴に重なり、前記接続端子部と前記外部接続部とを固定部材で接続する際に前記取付穴とともに前記固定部材が通される挿入穴が形成され、前記端子設置部と前記接続端子部との間に、前記取付穴と前記挿入穴とが重なる方向と垂直な面内で前記接続端子部が動くのを阻止する第１の阻止部が設けられる。
【発明の効果】
【０００９】
本発明によれば、バスバーの接続端子部を外部接続部へ円滑に接続することができるコンデンサを提供することができる。【００１０】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１１】
【図１】図１は、実施の形態に係る、フィルムコンデンサを前方上方から見た斜視図であり、図１（ｂ）は、実施の形態に係る、充填樹脂が除かれた状態のフィルムコンデンサを前方上方から見た斜視図である。
【図２】図２（ａ）は、実施の形態に係る、コンデンサ素子ユニットを前方上方から見た斜視図であり、図２（ｂ）は、実施の形態に係る、コンデンサ素子群および第３バスバー以外の構成が除かれたコンデンサ素子ユニットを前方上方から見た斜視図である。
【図３】図３（ａ）は、実施の形態に係る、コンデンサ素子ユニットを前方下方から見た斜視図であり、図３（ｂ）は、実施の形態に係る、コンデンサ素子群および第３バスバー以外の構成が除かれたコンデンサ素子ユニットを前方下方から見た斜視図である。
【図４】図４（ａ）は、実施の形態に係る、第１バスバーを前方上方から見た斜視図であり、図４（ｂ）は、実施の形態に係る、第２バスバーを前方上方から見た斜視図である。
【図５】図５（ａ）は、実施の形態に係る、第３バスバーを前方上方から見た斜視図であり、図５（ｂ）は、実施の形態に係る、第３バスバーを前方下方から見た斜視図である。
【図６】図６（ａ）は、実施の形態に係る、ケースを前方上方から見た斜視図であり、図６（ｂ）は、図６（ａ）のＡ部の拡大図である。
【図７】図７（ａ）は、実施の形態に係る、ケースを前方下方から見た斜視図であり、図７（ｂ）は、図７（ａ）のＢ部の拡大図である。
【図８】図８は、実施の形態に係る、ケース内にコンデンサ素子ユニットがセットされた状態のフィルムコンデンサの左端部周辺を前方上方から見た斜視図である。
【図９】図９（ａ）は、実施の形態に係る、ケース内にコンデンサ素子ユニットがセットされ、第３接続端子部が第３端子設置部に設置される直前の状態のフィルムコンデンサの左端部周辺を前方下方から見た斜視図であり、図９（ｂ）は、実施の形態に係る、ケース内にコンデンサ素子ユニットがセットされた状態のフィルムコンデンサの左端部周辺を前方下方から見た斜視図である。
【図１０】図１０は、実施の形態に係る、フィルムコンデンサが外部の取付部材に取り付けられた状態を示す図である。
【発明を実施するための形態】
【００１２】
以下、本発明のコンデンサの一実施形態であるフィルムコンデンサ１について図を参照して説明する。便宜上、各図には、適宜、前後、左右および上下の方向が付記されている。なお、図示の方向は、あくまでフィルムコンデンサ１の相対的な方向を示すものであり、絶対的な方向を示すものではない。
【００１３】
本実施の形態において、フィルムコンデンサ１が、特許請求の範囲に記載の「コンデンサ」に対応する。また、第１コンデンサ素子１１０および第２コンデンサ素子１２０が、特許請求の範囲に記載の「コンデンサ素子」に対応する。さらに、上側端面電極１１１、１２１および下側端面電極１１２、１２２が、特許請求の範囲に記載の「電極」に対応する。さらに、第１バスバー２００、第２バスバー３００および第３バスバー４００が、特許請求の範囲に記載の「バスバー」に対応する。さらに、第１左接続端子部２６０、第２左接続端子部３６０および第３接続端子部４４０が、特許請求の範囲に記載の「接続端子部」に対応する。さらに、大径取付穴２６１、３６１および小径取付穴２６２、３６２が、特許請求の範囲に記載の「取付穴」に対応する。さらに、第１切欠穴２６３、第２切欠穴３６３および嵌合穴４４２が、特許請求の範囲に記載の「第１の被嵌合部」に対応する。さらに、嵌合穴４３７が、特許請求の範囲に記載の「第２の被嵌合部」に対応する。さらに、第１端子設置部８４０、第２端子設置部８５０および第３端子設置部８６０が、特許請求の範囲に記載の「端子設置部」に対応する。さらに、ネジ穴８４１ａ、８４２ａ、８５１ａ、８５２ａおよび挿通穴８６１が、特許請求の範囲に記載の「挿入穴」に対応する。さらに、第１突起部８４３、第２突起部８５３および第３突起部８６３が、特許請求の範囲に記載の「第１の嵌合部」に対応する。さらに、第２嵌合突起８６４が、特許請求の範囲に記載の「第２の嵌合部」に対応する。さらに、第１突起部８４３と、第１後壁部８４４と、第１左壁部８４５と、第１切欠穴２６３とで、特許請求の範囲に記載の「第１の阻止部」が構成される。さらに、第２突起部８５３と、第２後壁部８５４と、第２左壁部８５５と、第２切欠穴３６３とで、特許請求の範囲に記載の「第１の阻止部」が構成される。さらに、第３突起部８６３と嵌合穴４４２とで、特許請求の範囲に記載の「第１の阻止部」が構成される。さらに、第２嵌合突起８６４と嵌合穴４３７とで、特許請求の範囲に記載の「第２の阻止部」が構成される。
【００１４】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１５】
図１は、本実施の形態に係る、フィルムコンデンサ１を前方上方から見た斜視図であり、図１（ｂ）は、本実施の形態に係る、充填樹脂３０が除かれた状態のフィルムコンデンサ１を前方上方から見た斜視図である。
【００１６】
フィルムコンデンサ１は、コンデンサ素子ユニット１０と、コンデンサ素子ユニット１０が収容されるケース２０と、ケース２０内に充填され、ケース２０内で硬化する熱硬化性の充填樹脂３０とを備える。
【００１７】
図２（ａ）は、本実施の形態に係る、コンデンサ素子ユニット１０を前方上方から見た斜視図であり、図２（ｂ）は、本実施の形態に係る、コンデンサ素子群１００および第３バスバー４００以外の構成が除かれたコンデンサ素子ユニット１０を前方上方から見た斜視図である。図３（ａ）は、本実施の形態に係る、コンデンサ素子ユニット１０を前方下方から見た斜視図であり、図３（ｂ）は、本実施の形態に係る、コンデンサ素子群１００および第３バスバー４００以外の構成が除かれたコンデンサ素子ユニット１０を前方下方から見た斜視図である。図４（ａ）は、本実施の形態に係る、第１バスバー２００を前方上方から見た斜視図であり、図４（ｂ）は、本実施の形態に係る、第２バスバー３００を前方上方から見た斜視図である。図５（ａ）は、本実施の形態に係る、第３バスバー４００を前方上方から見た斜視図であり、図５（ｂ）は、本実施の形態に係る、第３バスバー４００を前方下方から見た斜視図である。
【００１８】
コンデンサ素子ユニット１０は、コンデンサ素子群１００と、第１バスバー２００と、第２バスバー３００と、第３バスバー４００と、絶縁板５００と、第１絶縁シート６００と、第２絶縁シート７００とを含む。
【００１９】
コンデンサ素子群１００は、６個の第１コンデンサ素子１１０と、第１コンデンサ素子１１０よりも静電容量が小さくサイズの小さな２個の第２コンデンサ素子１２０により構成される。６個の第１コンデンサ素子１１０は、両端面が上下方向を向くようにして、その短手方向（図２（ｂ）、図３（ｂ）の左右方向）に配列される。６個の第１コンデンサ素子１１０は、両端面が上下方向を向くようにして、その短手方向（図２（ｂ）、図３（ｂ）の左右方向）に配列される。２個の第２コンデンサ素子１２０は、第１コンデンサ素子１１０の左側に、両端面が上下方向を向くようにして、その短手方向に配列される。
【００２０】
各第１コンデンサ素子１１０は、誘電体フィルム上にアルミニウムを蒸着させた２枚の金属化フィルムを重ね、重ねた金属化フィルムを巻回または積層し、扁平状に押圧することにより形成される。各第１コンデンサ素子１１０には、上側の端面に、亜鉛等の金属の吹付けにより上側端面電極１１１が形成され、下側の端面に、同じく亜鉛等の金属の吹付けにより下側端面電極１１２が形成される。第２コンデンサ素子１２０の構成は、第１コンデンサ素子１１０の構成と同様であり、その上側の端面に上側端面電極１２１が形成され、その下側の端面に下側端面電極１２２が形成される。
【００２１】
なお、本実施の形態の第１コンデンサ素子１１０および第２コンデンサ素子１２０は、誘電体フィルム上にアルミニウムを蒸着させた金属化フィルムにより形成されたが、これ以外にも、亜鉛、マグネシウム等の他の金属を蒸着させた金属化フィルムにより形成されてもよい。あるいは、第１コンデンサ素子１１０および第２コンデンサ素子１２０は、これらの金属のうち、複数の金属を蒸着させた金属化フィルムにより形成されてもよいし、これらの金属どうしの合金を蒸着させた金属化フィルムにより形成されてもよい。
【００２２】
第１バスバー２００は、導電性材料、たとえば、銅板により形成され、第１右電極端子部２１０と、第１左電極端子部２２０と、第１前中継部２３０と、第１左中継部２４０と、第１前接続端子部２５０と、第１左接続端子部２６０とを含む。第１バスバー２００は、たとえば、一枚の銅板を適宜切り抜き、折り曲げることによって形成され、これら第１右電極端子部２１０と、第１左電極端子部２２０と、第１前中継部２３０と、第１左中継部２４０と、第１前接続端子部２５０と、第１左接続端子部２６０とが一体となっている。
【００２３】
第１右電極端子部２１０は、左右に長い板状を有する。第１右電極端子部２１０には、長方形状の開口部２１１が、左右方向に並ぶように５か所に形成される。各開口部２１１の右端縁には、２つの第１右接続ピン２１２が前後に並ぶように形成される。また、第１右電極端子部２１０の左端部にも、２つの第１右接続ピン２１２が前後に並ぶように形成される。第１左電極端子部２２０は、第１右電極端子部２１０の左方に、第２コンデンサ素子１２０一つ分の距離をおいて形成され、右方から見て略Ｌ字状を有する。第１左電極端子部２２０の右端部には、２つの第１左接続ピン２２１が前後に並ぶように形成される。
【００２４】
第１右電極端子部２１０は、６個の第１コンデンサ素子１１０の上側端面電極１１１に接触する。２つの第１右接続ピン２１２が、対応する第１コンデンサ素子１１０の上側端面電極１１１に半田付け等の接続方法によって電気的に接続される。また、第１左電極端子部２２０は、左側の第２コンデンサ素子１２０の上側端面電極１２１に接触する。２つの第１左接続ピン２２１が、左側の第２コンデンサ素子１２０の上側端面電極１２１に半田付け等の接続方法によって電気的に接続される。
【００２５】
第１前中継部２３０は、第１右電極端子部２１０および第１左電極端子部２２０と第１前接続端子部２５０との間を中継する。第１前中継部２３０は、左右に長い板状を有し、第１右電極端子部２１０および第１左電極端子部２２０の前端部から下方に延びる。第１前中継部２３０の下端部は、ほぼ直角に前方に折り曲げられる。第１前中継部２３０には、左右方向に並ぶようにして、５つの長円形の流通開口部２３１と２つの円形の流通開口部２３２とが形成される。
【００２６】
第１左中継部２４０は、第１右電極端子部２１０および第１左電極端子部２２０と第１左接続端子部２６０との間を中継する。第１左中継部２４０は、第１前中継部２３０の左端部から前方へ延びた後、ほぼ直角に折り曲げられて左方に延び、さらにほぼ直角に折り曲げられて後方に延びる。
【００２７】
第１前接続端子部２５０は、第１前中継部２３０の下端部において、左右方向に所定の間隔を有するようにして３か所に設けられる。各第１前接続端子部２５０は、第１前中継部２３０の下端部から前方に延び、その表裏面が上下方向を向く。各第１前接続端子部２５０には、表裏を貫通する円形の取付穴２５１が形成される。
【００２８】
第１左接続端子部２６０は、第１左中継部２４０の後部の下端部から左方に延び、その表裏面が上下方向を向く。第１左接続端子部２６０には、表裏を貫通する大小の円形の取付穴、即ち大径取付穴２６１と小径取付穴２６２とが形成される。また、第１左接続端子部２６０には、前端部の左端に長方形状の第１切欠穴２６３が形成される。
【００２９】
第２バスバー３００は、導電性材料、たとえば、銅板により形成され、第２電極端子部３１０と、被い部３２０と、第２前中継部３３０と、第２左中継部３４０と、第２前接続端子部３５０と、第２左接続端子部３６０とを含む。第２バスバー３００は、たとえば、一枚の銅板を適宜切り抜き、折り曲げることによって形成され、これら第２電極端子部３１０と、被い部３２０と、第２前中継部３３０と、第２左中継部３４０と、第２前接続端子部３５０と、第２左接続端子部３６０とが一体となっている。
【００３０】
第２電極端子部３１０は、左右に長い板状を有する。第２電極端子部３１０には、長方形状の開口部３１１が、左右方向に並ぶように７か所に形成される。一番右端の開口部３１１は、右端縁が開放されている。各開口部３１１の左端縁には、２つの第２接続ピン３１２が前後に並ぶように形成される。
【００３１】
第２電極端子部３１０は、６個の第１コンデンサ素子１１０の下側端面電極１１２と右側の第２コンデンサ素子１２０の下側端面電極１２２に接触する。２つの第２接続ピン３１２が、対応する第１コンデンサ素子１１０の下側端面電極１１２と右側の第２コンデンサ素子１２０の下側端面電極１２２に半田付け等の接続方法によって電気的に接続される。
【００３２】
被い部３２０は、左右に長い板状を有し、コンデンサ素子群１００の後側を覆う。被い部３２０には、左右方向に並ぶようにして、５つの長円形の流通開口部３２１が形成される。
【００３３】
第２前中継部３３０は、第２電極端子部３１０と第２前接続端子部３５０との間を中継する。第２前中継部３３０は、左右に細長い板状を有し、第２電極端子部３１０の前端部から上方に延びる。第２前中継部３３０の上端部は、ほぼ直角に前方に折り曲げられる。
【００３４】
第２左中継部３４０は、第２電極端子部３１０と第２左接続端子部３６０との間を中継する。第２左中継部３４０は、第２電極端子部３１０の左端部から上方に延びる第１部材３４１と、第１部材３４１の前端部から左方に延びた後、ほぼ直角に折り曲げられて後方に延びる第２部材３４２とで構成される。
【００３５】
第２前接続端子部３５０は、第２前中継部３３０の上端部において、左右方向に所定の間隔を有するようにして３か所に設けられる。各第２前接続端子部３５０は、第２前中継部３３０の上端部から前方に延び、その表裏面が上下方向を向く。各第２前接続端子部３５０には、表裏を貫通する円形の取付穴３５１が形成される。
【００３６】
第２左接続端子部３６０は、第２左中継部３４０の第２部材３４２の下端部から左方に延び、その表裏面が上下方向を向く。第２左接続端子部３６０には、表裏を貫通する大小の円形の取付穴、即ち大径取付穴３６１と小径取付穴３６２とが形成される。また、第２左接続端子部３６０には、前端部の左端に長方形状の第２切欠穴３６３が形成される。
【００３７】
第３バスバー４００は、導電性材料、たとえば、銅板により形成され、第３右電極端子部４１０と、第３左電極端子部４２０と、第３中継部４３０と、第３接続端子部４４０とを含む。第３バスバー４００は、たとえば、一枚の銅板を適宜切り抜き、折り曲げることによって形成され、これら第３右電極端子部４１０と、第３左電極端子部４２０と、第３中継部４３０と、第３接続端子部４４０とが一体となっている。
【００３８】
第３右電極端子部４１０は、前後に細長い板状を有する。第３右電極端子部４１０の右端部には、２つの第３右接続ピン４１１が前後に並ぶように形成される。第３左電極端子部４２０の左端部には、２つの第３左接続ピン４２１が前後に並ぶように形成される。
【００３９】
第３右電極端子部４１０は、右側の第２コンデンサ素子１２０の上側端面電極１２１に接触する。２つの第３右接続ピン４１１が、右側の第２コンデンサ素子１２０の上側端面電極１２１に半田付け等の接続方法によって電気的に接続される。また、第３左電極端子部４２０は、左側の第２コンデンサ素子１２０の下側端面電極１２２に接触する。２つの第３左接続ピン４２１が、左側の第２コンデンサ素子１２０の下側端面電極１２２に半田付け等の接続方法によって電気的に接続される。
【００４０】
第３中継部４３０は、第３右電極端子部４１０および第３左電極端子部４２０と第３接続端子部４４０との間を中継する。第３中継部４３０は、第３右電極端子部４１０の前端部および第３左電極端子部４２０の前端部に繋がり左方に細長い第１部材４３１と、第１部材４３１の左端部から前方に延びる第２部材４３２と、第２部材４３２の前端部から左方に延びる第３部材４３３と、第３部材４３３の左端部から後方に延びる第４部材４３４と、第４部材４３４の後部から左方に延びる第５部材４３５とで構成される。第３部材４３３には、表裏に貫通する円形の嵌合穴４３６が形成される。また、第５部材４３５には、表裏に貫通する長方形の嵌合穴４３７が形成される。
【００４１】
第３接続端子部４４０は、第３中継部４３０の第５部材４３５の下端部から後方に延び、その表裏面が上下方向を向く。第３接続端子部４４０には、表裏を貫通する円形の取付穴４４１が形成されるとともに、取付穴４４１よりも後方の位置に、表裏を貫通する長方形状の嵌合穴４４２が形成される。
【００４２】
絶縁板５００は、アクリル、シリコン等の絶縁性を有する樹脂材料により形成される。絶縁板５００は、第１バスバー２００と第２バスバー３００との間に介在され、これらの間を電気的に絶縁する。第１絶縁シート６００および第２絶縁シート７００は、絶縁紙やアクリル、シリコン等の絶縁性を有する樹脂材料により形成される。第１絶縁シート６００は、第１バスバー２００の第１左中継部２４０と第２バスバー３００の第２左中継部３４０との間に介在され、これらの間を電気的に絶縁する。第２絶縁シート７００は、第１バスバー２００の第１左中継部２４０の外側を覆い、第２左接続端子部３６０と接続される外部端子と第１左中継部２４０との間を絶縁する。
【００４３】
図６（ａ）は、本実施の形態に係る、ケース２０を前方上方から見た斜視図であり、図６（ｂ）は、図６（ａ）のＡ部の拡大図である。図７（ａ）は、本実施の形態に係る、ケース２０を前方下方から見た斜視図であり、図７（ｂ）は、図７（ａ）のＢ部の拡大図である。
【００４４】
ケース２０は、ＰＰＳ（ポリフェニレンサルファイト樹脂）等の樹脂材料により形成される。ケース２０は、左右に長いほぼ直方体の箱状に形成されたケース本体８００を備える。ケース本体８００は、上面に開口部８００ａを有する。ケース本体８００の上側面は、左側の第２コンデンサ素子１２０に対応する部位８０１が一段内側に凹み、右側の第２コンデンサ素子１２０に対応する部位８０２がさらにもう一段内側に凹む。ケース本体８００の上側面には、金属製のインサートナット８１１を有する２つの取付ボス８１０が左右に並ぶように設けられる。また、ケース本体８００には、後面下部の左右２か所と右側面下部の１か所に、取付タブ８２０が設けられる。取付タブ８２０には、上下に貫通する円形の挿通穴８２１が形成される。挿通穴８２１には、穴の強度を上げるために金属製のカラー８２２が嵌め込まれる。ケース本体８００の下側面には、右端部と左端部とに下方に突出する位置決めピン８３０が形成される。
【００４５】
ケース本体８００の左側面には、中央よりもやや下の位置において後側と前側に連続するように、第１バスバー２００の第１左接続端子部２６０が設置される第１端子設置部８４０と第２バスバー３００の第２左接続端子部３６０が設置される第２端子設置部８５０とが設けられる。第１端子設置部８４０および第２端子設置部８５０は、上方から見て長方形状を有する。
【００４６】
第１端子設置部８４０の上面（表面）には、右側に金属製の第１インサートナット８４１が埋め込まれるとともに、左側に第１インサートナット８４１より小さな金属製の第１小型インサートナット８４２が埋め込まれる。また、第１端子設置部８４０の上面には、第１小型インサートナット８４２の前方に第１突起部８４３が形成される。図６（ｂ）に示すように、第１突起部８４３は、上方から見て長方形状を有するとともに、前側、即ち開口部８００ａ側の側壁面８４３ａが開口部８００ａ側に向かって下り傾斜する傾斜面に形成される。さらに、第１端子設置部８４０の上面には、後端部に第１後壁部８４４が形成されるとともに、左端部に第１左壁部８４５が形成される。第１左壁部８４５は、その一部が切り欠かれる。
【００４７】
第２端子設置部８５０の上面（表面）には、右側に金属製の第２インサートナット８５１が埋め込まれるとともに、左側に第２インサートナット８５１より小さな金属製の第２小型インサートナット８５２が埋め込まれる。また、第２端子設置部８５０の上面には、第２小型インサートナット８５２の前方に第２突起部８５３が形成される。図６（ｂ）に示すように、第２突起部８５３は、上方から見て長方形状を有するとともに、前側、即ち開口部８００ａ側の側壁面８５３ａが開口部８００ａ側に向かって下り傾斜する傾斜面に形成される。さらに、第２端子設置部８５０の上面には、後端部に第２後壁部８５４が形成されるとともに、左端部に第２左壁部８５５が形成される。第２後壁部８５４は、第２端子設置部８５０の上面を第１端子設置部８４０の上面よりも一段低くすることにより形成される。第２左壁部８５５は、その一部が切り欠かれる。さらに、第２端子設置部８５０の前側面には、前方に突出する第１嵌合突起８５６が形成される。
【００４８】
第１端子設置部８４０の左側には、第１端子設置部８４０から連続するようにして、第３バスバー４００の第３接続端子部４４０が設置される第３端子設置部８６０が設けられる。第３端子設置部８６０には、上下に貫通する挿通穴８６１が形成される。挿通穴８６１には、穴の強度を上げるために金属製のカラー８６２が嵌め込まれる。第３端子設置部８６０の下面（裏面）には、挿通穴８６１の後方、即ち、挿通穴８６１の開口部８００ａ側とは反対側に第３突起部８６３が形成される。図７（ｂ）に示すように、第３突起部８６３は、下方から見て長方形状を有するとともに、前側、即ち開口部８００ａ側の側壁面８６３ａが開口部８００ａ側に向かって下り傾斜する傾斜面に形成される。さらに、第３端子設置部８６０の前側面には、前方に突出する第２嵌合突起８６４が形成される。
【００４９】
図８は、本実施の形態に係る、ケース２０内にコンデンサ素子ユニット１０がセットされた状態のフィルムコンデンサ１の左端部周辺を前方上方から見た斜視図である。図９（ａ）は、本実施の形態に係る、ケース２０内にコンデンサ素子ユニット１０がセットされ、第３接続端子部４４０が第３端子設置部８６０に設置される直前の状態のフィルムコンデンサ１の左端部周辺を前方下方から見た斜視図であり、図９（ｂ）は、本実施の形態に係る、ケース２０内にコンデンサ素子ユニット１０がセットされた状態のフィルムコンデンサ１の左端部周辺を前方下方から見た斜視図である。なお、図９（ａ）では、便宜上、コンデンサ素子ユニット１０について、第３バスバー４００の一部の構成のみが示されている。
【００５０】
フィルムコンデンサ１が組み立てられる際には、コンデンサ素子群１００に第１バスバー２００および第２バスバー３００を結合することによりコンデンサ素子ユニット１０が組み立てられ、組み立てられたコンデンサ素子ユニット１０が、開口部８００ａを通じてケース２０内に収容される。第１バスバー２００の第１前接続端子部２５０と第２バスバー３００の第２前接続端子部３５０とが開口部８００ａから前方に突き出す。
【００５１】
コンデンサ素子ユニット１０がケース２０に収容される際、図８に示すように、第１バスバー２００および第２バスバー３００は、第１左中継部２４０および第２左中継部３４０によってケース２０の開口部８００ａからケース２０の左側にそれぞれ引き出された第１左接続端子部２６０および第２左接続端子部３６０が、前方から後方にスライドされるようにして、それぞれ第１端子設置部８４０および第２端子設置部８５０の上面に設置される。
【００５２】
このとき、図８の矢印のように、第１左接続端子部２６０は、第１突起部８４３の傾斜する側壁面８４３ａに案内されるようにして第１突起部８４３を乗り越える。第１左接続端子部２６０が第１端子設置部８４０の上面に最後まで重なると、第１左接続端子部２６０の第１切欠穴２６３と第１突起部８４３とが嵌合する。第１左接続端子部２６０の大径取付穴２６１および小径取付穴２６２と、第１端子設置部８４０の第１インサートナット８４１のネジ穴８４１ａおよび第１小型インサートナット８４２のネジ穴８４２ａとが整合する。第１突起部８４３により、第１左接続端子部２６０の前方向と右方向への動きが阻止され、第１突起部８４３と第１左壁部８４５により、第１左接続端子部２６０の左方向への動きが阻止され、第１後壁部８４４により、第１左接続端子部２６０の後方向への動きが阻止される。即ち、第１左接続端子部２６０が第１端子設置部８４０に対し水平面内おいて固定される。
【００５３】
同様にして、図８の矢印のように、第２左接続端子部３６０は、第２突起部８５３を乗り越えるようにして第２端子設置部８５０の上面に重なり、第２切欠穴３６３と第２突起部８５３とが嵌合する。第２左接続端子部３６０の大径取付穴３６１および小径取付穴３６２と、第２端子設置部８５０の第２インサートナット８５１のネジ穴８５１ａおよび第２小型インサートナット８５２のネジ穴８５２ａとが整合する。第２突起部８５３、第２後壁部８５４および第２左壁部８５５により、第２左接続端子部３６０が第２端子設置部８５０に対し水平面内おいて固定される。
【００５４】
さらに、コンデンサ素子ユニット１０がケース２０に収容される際、図９（ａ）、（ｂ）に示すように、第３バスバー４００は、第３中継部４３０によってケース２０の開口部８００ａからケース２０の左側に引き出された第３接続端子部４４０が、前方から後方にスライドされるようにして、第３端子設置部８６０の下面に設置される。
【００５５】
このとき、図９（ａ）の矢印のように、第３接続端子部４４０は、第３突起部８６３の傾斜する側壁面８６３ａに案内されるようにして第３突起部８６３を乗り越える。図９（ｂ）のように、第３接続端子部４４０が第１端子設置部８４０の下面に最後まで重なると、第３接続端子部４４０の嵌合穴４４２と第３突起部８６３とが嵌合する。これにより、第３接続端子部４４０が第３端子設置部８６０に対し水平面内おいて固定される。また、第３中継部４３０の嵌合穴４３７と第３端子設置部８６０の第２嵌合突起８６４とが嵌合する。これにより、第３接続端子部４４０が第３端子設置部８６０に対し垂直面内おいても固定される。第３接続端子部４４０が第３端子設置部８６０の下面に設置されると、第３接続端子部４４０の取付穴４４１と第３端子設置部８６０の挿通穴８６１とが整合する。
【００５６】
なお、第３中継部４３０の嵌合穴４３６と第２端子設置部８５０の第１嵌合突起８５６とが嵌合することにより、第３中継部４３０の垂直面内での動きが抑えられる。
【００５７】
コンデンサ素子ユニット１０がセットされたケース２０は、開口部８００ａが上方を向くような姿勢にされる。その状態で、ケース２０内に液状の充填樹脂３０が注入され、ケース２０内に充填樹脂３０が満たされる。このとき、第１バスバー２００の流通開口部２３１、２３２および第２バスバー３００の流通開口部３２１を通じて、第１バスバー２００および第２バスバー３００とコンデンサ素子群１００との間に充填樹脂３０が流れ込み、これら間に充填樹脂３０が行き渡りやすくなる。
【００５８】
ケース２０内に充填樹脂３０が充填された後にケース２０が加熱されると、液状の充填樹脂３０が硬化する。こうして、図１（ａ）に示すような、ケースモールド型のフィルムコンデンサ１が完成する。
【００５９】
図１０は、本実施の形態に係る、フィルムコンデンサ１が外部の取付部材９００に取り付けられた状態を示す図である。
【００６０】
フィルムコンデンサ１は、機器や車両などに搭載される。この際、フィルムコンデンサ１は、たとえば、図１０に示すように、機器や車両などに用意された外部の取付部材９００に取り付けられる。取付部材９００は、アルミニウム等の金属材料により形成される。取付部材９００には、フィルムコンデンサ１の第３端子設置部８６０に対応する第１取付ボス９１０と、フィルムコンデンサ１の３つの取付タブ８２０に対応する３つの第２取付ボス９２０と、フィルムコンデンサ１の２つの位置決めピン８３０に対応する２つの位置決めボス９３０とが設けられる。
【００６１】
取付ボルト８７０が、第３端子設置部８６０の上面側から挿通穴８６１に通され、さらに第３接続端子部４４０の取付穴４４１を通されて、第１取付ボス９１０のネジ穴９１１に止められる。また、取付ボルト８８０が、取付タブ８２０の上面側から挿通穴８２１に通されて、第２取付ボス９２０のネジ穴９２１に止められる。これにより、フィルムコンデンサ１が取付部材９００に固定される。このとき、位置決めピン８３０が位置決めボス９３０の位置決め穴９３１に挿入されることにより、フィルムコンデンサ１は、適正な向きで取付部材９００に固定される。
【００６２】
第３端子設置部８６０が取付ボルト８７０によって第１取付ボス９１０に取り付けられると、第３接続端子部４４０が第１取付ボス９１０に接触し、第３接続端子部４４０と第１取付ボス９１０とが電気的に接続される。
【００６３】
また、フィルムコンデンサ１の第１前接続端子部２５０および第２前接続端子部３５０が、それぞれの取付穴２５１、３５１を用いたネジ止めによって、それぞれ対応する外部端子（図示せず）に電気的に接続される。
【００６４】
さらに、第１左接続端子部２６０は、第１端子設置部８４０において２つの外部端子（図示せず）と電気的に接続される。このとき、第１左接続端子部２６０は、大径取付穴２６１を通じた第１インサートナット８４１へのネジ止めによって一方の外部端子と接続され、小径取付穴２６２を通じた第１小型インサートナット８４２へのネジ止めによって他方の外部端子と接続される。第１左壁部８４５の切り欠かれた部分に他方の外部端子の根元部分が嵌り込み、ネジ止めの際に他方の外部端子が回転しないようになされる。
【００６５】
同様に、第２左接続端子部３６０は、第２端子設置部８５０において２つの外部端子（図示せず）と電気的に接続される。このとき、第２左接続端子部３６０は、大径取付穴３６１を通じた第２インサートナット８５１へのネジ止めによって一方の外部端子と接続され、小径取付穴３６２を通じた第２小型インサートナット８５２へのネジ止めによって他方の外部端子と接続される。第２左壁部８５５の切り欠かれた部分に他方の外部端子の根元部分が嵌り込み、ネジ止めの際に他方の外部端子が回転しないようになされる。
【００６６】
＜実施の形態の効果＞
以上、本実施の形態によれば、以下の効果が奏される。
【００６７】
第３端子設置部８６０に設けられた第３突起部８６３と第３接続端子部４４０に設けられた嵌合穴４４２との嵌合によって、第３端子設置部８６０に対して第３接続端子部４４０が、前後左右方向、即ち第３端子設置部８６０の挿通穴８６１と第３接続端子部４４０の取付穴４４１とが重なる方向と垂直な方向に動かないようにしたので、挿通穴８６１と取付穴４４１との位置ずれを防止することができ、第３接続端子部４４０を取付部材９００の第１取付ボス９１０に接続する際に、取付ボルト８７０を挿通穴８６１と取付穴４４１とに通しやすくすることができる。これにより、第３接続端子部４４０と第１取付ボス９１０との接続を円滑に行うことができる。
【００６８】
また、第３接続端子部４４０は、第３端子設置部８６０における取付ボルト８７０が挿通穴８６１に挿入される側の面である上面と反対側の下面に設置されているので、取付ボルト８７０によって第３端子設置部８６０を第１取付ボス９１０に取り付けたときに第３接続端子部４４０を第１取付ボス９１０に直接接触させるとことができる。このため、第３接続端子部４４０が第３端子設置部８６０の上面に設置されることで第３接続端子部４４０が金属製のカラー８６２が介して第１取付ボス９１０と電気的に接続される構成と比べて、電気抵抗の小さくなり、フィルムコンデンサ１から電流が流れやすくなる。しかしながらその反面、取付ボルト８７０を挿入する際に挿通穴８６１と取付穴４４１とに位置ずれが生じていても、それを確認することが難しくなる。よって、このように第３接続端子部４４０が第３端子設置部８６０の下面に設置される構成において、挿通穴８６１と取付穴４４１との位置ずれが防止されることで、第３接続端子部４４０と第１取付ボス９１０との接続を円滑に行うことができる、との効果がより顕著に生じ得る。
【００６９】
さらに、第３端子設置部８６０は、その挿通穴８６１がケース２０の開口部８００ａが向く方向と垂直な方向に開口するようにケース２０の左側面に設けられているので、コンデンサ素子ユニット１０がケース２０内に収容される際、第３接続端子部４４０は、第３端子設置部８６０の上面に沿ってスライドされることにより第３端子設置部８６０に設置されることになる。このため、第３接続端子部４４０のスライド方向は、第３突起部８６３の嵌合穴４４２への嵌合方向と直交することになる。しかしながら、第３突起部８６３の側壁面８６３ａが傾斜面に形成されているので、第３接続端子部４４０をスライドさせたときに第３接続端子部４４０が第３突起部８６３を容易に乗り越えることができ、スライド方向と嵌合方向とが直交していても、第３突起部８６３を嵌合穴４４２へ容易に嵌合させることができる。
【００７０】
さらに、上記のように、第３接続端子部４４０のスライド方向が第３突起部８６３の嵌合穴４４２への嵌合方向と直交する場合、嵌合穴４４２へ嵌合しにくくなるため第３突起部８６３をあまり高くすることができず、第３突起部８６３が嵌合穴４４２から抜けやすくなる。しかしながら、第３中継部４３０の嵌合穴４３７と第３端子設置部８６０の第２嵌合突起８６４との嵌合によって、第３端子設置部８６０に対する第３接続端子部４４０の嵌合方向への動きが阻止されるので、第３突起部８６３が嵌合穴４４２から抜けるのを防止することができる。
【００７１】
さらに、第１端子設置部８４０（第２端子設置部８５０）に設けられた第１突起部８４３（第２突起部８５３）、第１後壁部８４４（第２後壁部８５４）および第１左壁部８４５（第２左壁部８５５）によって、第１端子設置部８４０（第２端子設置部８５０）に対して第１左接続端子部２６０（第２左接続端子部３６０）が、前後左右方向に動かないようにしたので、第１左接続端子部２６０（第２左接続端子部３６０）の大径取付穴２６１（３６１）および小径取付穴２６２（３６２）と、第１端子設置部８４０（第２端子設置部８５０）の第１インサートナット８４１（第２インサートナット８５１）のネジ穴８４１ａ（８５１ａ）および第１小型インサートナット８４２（第２小型インサートナット８５２）のネジ穴８４２ａ（８５２ａ）との位置ずれを防止することができる。これにより、第１左接続端子部２６０（第２左接続端子部３６０）を２つの外部端子に接続する際に、それぞれの取付ネジが、大径取付穴２６１（３６１）と第１インサートナット８４１（第２インサートナット８５１）のネジ穴８４１ａ（８５１ａ）との間、および小径取付穴２６２（３６２）と第１小型インサートナット８４２（第２小型インサートナット８５２）のネジ穴８４２ａ（８５２ａ）との間を通りやすくなる。これにより、第１左接続端子部２６０（第２左接続端子部３６０）と２つの外部端子との接続を円滑に行うことができる。
【００７２】
さらに、第１突起部８４３（第２突起部８５３）の側壁面８４３ａ（８５３ａ）が傾斜面に形成されているので、第１左接続端子部２６０（第２左接続端子部３６０）をスライドさせたときに第１左接続端子部２６０（第２左接続端子部３６０）が第１突起部８４３（第２突起部８５３）を容易に乗り越えることができ、第１突起部８４３（第２突起部８５３）を第１左接続端子部２６０（第２左接続端子部３６０）の第１切欠穴２６３（第２切欠穴３６３）へ容易に嵌合させることができる。
【００７３】
＜変更例＞
以上、本発明の実施の形態について説明したが、本発明は、上記実施の形態に限定されるものではなく、また、本発明の適用例も、上記実施の形態の他に、種々の変更が可能である。
【００７４】
たとえば、上記実施の形態では、第３バスバー４００の第３接続端子部４４０が第３端子設置部８６０の下面に設置される。しかしながら、第３接続端子部４４０が第３端子設置部８６０の上面に設置されてもよい。この場合、第３突起部８６３が第３端子設置部８６０の上面に形成される。取付ボルト８７０によって第３接続端子部４４０が第３端子設置部８６０とともに取付部材９００の第１取付ボス９１０に取り付けられると、第３接続端子部４４０は金属製のカラー８６２を介して第１取付ボス９１０と電気的に接続される。この構成では、取付ボルト８７０と第３端子設置部８６０との間に第３接続端子部４４０が挟まれるので、取付ボルト８７０を締めつけるときの回転摩擦によって第３接続端子部４４０が取付ボルト８７０とともに回転しようとする。しかしながら、第３突起部８６３と嵌合穴４４２との嵌合により第３接続端子部４４０の回転が防止されるので、第３接続端子部４４０が回転することによる第３バスバー４００の変形が防止される。
【００７５】
また、上記実施の形態では、コンデンサ素子群１００が６個の第１コンデンサ素子１１０と２個の第２コンデンサ素子１２０とで構成された。しかしながら、第１コンデンサ素子１１０および第２コンデンサ素子１２０の個数は、適宜、変更されてよい。また、コンデンサ素子群１００が、第１コンデンサ素子１１０または第２コンデンサ素子１２０のみで構成されてもよい。
【００７６】
さらに、上記実施の形態では、第１コンデンサ素子１１０および第２コンデンサ素子１２０は、誘電体フィルム上にアルミニウムを蒸着させた２枚の金属化フィルムを重ね、重ねた金属化フィルムを巻回または積層することで形成されたものであるが、これ以外にも、誘電体フィルムの両面にアルミニウムを蒸着させた金属化フィルムと絶縁フィルムとを重ね、これを巻回または積層することにより第１コンデンサ素子１１０および第２コンデンサ素子１２０を形成してもよい。
【００７７】
さらに、上記実施の形態では、本発明のコンデンサの一例として、フィルムコンデンサ１が挙げられた。しかしながら、本発明は、フィルムコンデンサ１以外のコンデンサに適用することもできる。
【００７８】
この他、本発明の実施の形態は、特許請求の範囲に示された技術的思想の範囲内において、適宜、種々の変更が可能である。
【００７９】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【００８０】
本発明は、各種電子機器、電気機器、産業機器、車両の電装等に使用されるコンデンサに有用である。
【符号の説明】
【００８１】
１  フィルムコンデンサ（コンデンサ）
１０  コンデンサ素子ユニット
２０  ケース
３０  充填樹脂
１１０  第１コンデンサ素子（コンデンサ素子）
１１１  上側端面電極（電極）
１１２  下側端面電極（電極）
１２０  第２コンデンサ素子（コンデンサ素子）
１２１  上側端面電極（電極）
１２２  下側端面電極（電極）
２００  第１バスバー（バスバー）
２６０  第１左接続端子部（接続端子部）
２６１  大径取付穴（取付穴）
２６２  小径取付穴（取付穴）
２６３  第１切欠穴（第１の阻止部、第１の被嵌合部）
３００  第２バスバー（バスバー）
３６０  第２左接続端子部（接続端子部）
３６１  大径取付穴（取付穴）
３６２  小径取付穴（取付穴）
２６３  第２切欠穴（第１の阻止部、第１の被嵌合部）
４００  第３バスバー（バスバー）
４３７  嵌合穴（第２の阻止部、第２の被嵌合部）
４４０  第３接続端子部（接続端子部）
４４１  取付穴
４４２  嵌合穴（第１の阻止部、第１の被嵌合部）
８００  ケース本体
８００ａ  開口部
８４０  第１端子設置部（端子設置部）
８４１  第１インサートナット
８４１ａ  ネジ穴（挿入穴）
８４２  第１小型インサートナット
８４２ａ  ネジ穴（挿入穴）
８４３  第１突起部（第１の阻止部、第１の嵌合部）
８４３ａ  側壁面
８４４  第１後壁部（第１の阻止部）
８４５  第１左壁部（第１の阻止部）
８５０  第２端子設置部（端子設置部）
８５１  第２インサートナット
８５１ａ  ネジ穴（挿入穴）
８５２  第２小型インサートナット
８５２ａ  ネジ穴（挿入穴）
８５３  第２突起部（第１の阻止部、第１の嵌合部）
８５３ａ  側壁面
８５４  第２後壁部（第１の阻止部）
８５５  第２左壁部（第１の阻止部）
８６０  第３端子設置部（端子設置部）
８６１  挿通穴（挿入穴）
８６３  第３突起部（第１の阻止部、第１の嵌合部）
８６３ａ  側壁面
８６４  第２嵌合突起（第２の阻止部、第２の嵌合部）
【図１】
2018016349.tif 000003
【図２】
2018016349.tif 000004
【図３】
2018016349.tif 000005
【図４】
2018016349.tif 000006
【図５】
2018016349.tif 000007
【図６】
2018016349.tif 000008
【図７】
2018016349.tif 000009
【図８】
2018016349.tif 000010
【図９】
2018016349.tif 000011
【図１０】
2018016349.tif 000012
【国際調査報告】
2018016349.tif 000013
2018016349.tif 000014
2018016349.tif 000015
2018016349.tif 000016